(57)【要約】      （修正有）【課題】テープに非接着縁を形成し、箱を開いて包装物から容易にテープを剥すことができるフィルム貼付装置の縁折り曲げ構造を提供する。【解決手段】縁折り曲げ構造は、フィルム貼付装置に取り付けられ、縁折り曲げブロック１０を備える。フィルム貼付装置は、一端に設けられた側板１０１を有し、側板は、カッター、押圧輪１０７及びテープカートリッジ１０２を有する。縁折り曲げブロック１０は、ベースを含む。ベースの第１の端部及び第２の端部は側板に位置決めされる。第１の端部に隣接した箇所には、折り曲げピン２０が枢着される。折り曲げピンの底面には、側板との間に間隙が形成される。ベースの頂面には、押圧板及び折り返し部材が設けられ、間にはフィルムが通るチャネルが形成される。折り返し部材のチャネルと対となる一側には、傾斜面が形成される。ベースの第２の端部に隣接した箇所には平板が配設される。【選択図】図４
0003203831.tif 000002
【実用新案登録請求の範囲】
【請求項１】
フィルム貼付装置に取り付けるとともに、縁折り曲げブロックを備えるフィルム貼付装置の縁折り曲げ構造であって、
前記フィルム貼付装置は、一端に設けられた側板を有し、前記側板は、カッター、押圧輪及びテープカートリッジを有し、
前記縁折り曲げブロックは、ベースを含み、前記ベースの第１の端部及び第２の端部は側板に位置決めされ、前記ベースの第１の端部に隣接した箇所には折り曲げピンが枢着され、前記折り曲げピンの底面には、前記側板との間に間隙が形成され、前記ベースの頂面には、押圧板及び折り返し部材が設けられ、前記押圧板と前記折り返しブロックとの間にはチャネルが形成され、前記折り返し部材の前記チャネルと対となる一側には、傾斜面が形成され、前記ベースの前記第２の端部に隣接した箇所には平板が配設され、前記平板は、前記チャネルに向かって延びて端部が設けられ、
前記テープの引張り力により前記テープの一側が間隙に挿入され、折り返し部材を通過すると前記テープが折り返され、前記テープが前記平板の端部によりさらに平らな状態となり、折り曲げ縁が形成されることを特徴とするフィルム貼付装置の縁折り曲げ構造。
【請求項２】
前記折り返し部材には、前記折り返しブロックが設けられ、前記押圧板と前記折り返しブロックとの間には、チャネルが形成され、
前記折り返しブロックの前記チャネルと対となる一側には、第１の傾斜面が形成され、前記折り返し部材の前記折り返しブロックの前記第２の端部と対となる一側には強化折り返しブロックが配設され、前記強化折り返しブロックの前記チャネルと対となる一側には第２の傾斜面が形成され、前記第２の傾斜面は、前記第１の傾斜面に対して平行に形成され、前記第２の傾斜面は、前記第１の傾斜面より僅かに突出され、前記強化折り返しブロックには、突出部が設けられ、前記強化折り返しブロックの前記第２の傾斜面の押圧板に隣接した一端には上頂面が形成され、前記上頂面は、前記ベースに対して略垂直であることを特徴とする請求項１に記載のフィルム貼付装置の縁折り曲げ構造。
【請求項３】
前記平板は、前記押圧板に対して略垂直であるとともに、上頂面の延伸面から突出され、
前記平板の端部と前記上頂面の前記延伸面との間には、段差が形成されていることを特徴とする請求項１に記載のフィルム貼付装置の縁折り曲げ構造。
【請求項４】
前記側板には、位置決め孔が形成され、
前記ベースの前記第１の端部には、位置決め孔が形成され、
前記ベースの前記位置決め孔の一側には、バンプが設けられ、
前記側板には、前記ベースの前記位置決め孔を介して前記折り曲げピンが枢着され、
前記ベースの前記第２の端部の底面には、前記側板の前記位置決め孔と対となるように位置決め凸部が設けられ、前記ベースは、前記位置決め凸部を介して前記側板の前記位置決め孔に位置決めされ、
前記折り曲げピンの外周側には、複数の歯状凸部が設けられ、
前記歯状凸部は、前記バンプの頂面に配設されることを特徴とする請求項１に記載のフィルム貼付装置の縁折り曲げ構造。
【請求項５】
前記ベースの前記位置決め孔に隣接した一側には、第１の円弧面が形成され、
前記押圧板は、前記ベースの前記第１の端部に隣接した箇所に第２の円弧面を有し、
前記平板の端部は、第３の円弧面を有し、
前記平板の前記第２の円弧面の頂端には、傾斜角が形成されていることを特徴とする請求項４に記載のフィルム貼付装置の縁折り曲げ構造。
【考案の詳細な説明】
【技術分野】
【０００１】
本考案は、包装装置に関し、特に、フィルム貼付装置の縁折り曲げ構造に関する。
【背景技術】
【０００２】
図１及び図２を参照する。図１は、従来のフィルム貼付装置を示す斜視図である。図２は、従来のフィルム貼付装置の使用状態の説明図である。図１及び図２に示すように、従来のフィルム貼付装置は、本体２００を含む。本体２００は、側板２１０を有する。側板２１０には、テープカートリッジ２２０が設けられる。側板２１０の前縁部には、押圧輪２３０及びカッター２４０が設けられる。本体２００の押圧輪２３０とテープカートリッジ２２０との間には、折り曲げ部２５０が設けられる。折り曲げ部２５０は、テープが繰り出される順に折り曲げピン２５１、ストッパー２５３、傾斜ブロック２５４、第１のピン２５５、押圧ブロック２５７、第２のピン２５８が順次設けられる。折り曲げローラ２５２は、折り曲げピン２５１に嵌合される。ストッパー２５３は、折り曲げローラ２５２の周側に設けられ、予め折り曲げられたテープの内側縁に供給される。折り曲げ部２５０のストッパー２５３には、折り曲げピン２５１と対となる他側に傾斜ブロック２５４が設けられる。傾斜ブロック２５４の上縁には、テープの内側縁が折り返されて折り返し縁が形成される傾斜面２５４１が形成される。傾斜ブロック２５４には、ストッパー２５３と対となる他側に押圧ブロック２５７が設けられる。押圧ブロック２５７の前縁には、傾斜面２５７１が形成される。押圧ブロック２５７の頂縁には、上平面２５７２が形成される。上平面２５７２は、テープの折り返し縁が平らになるように押圧される。第１のピン２５５は、押圧ブロック２５７に隣接した上平面２５７２を有する。第１のピン２５５には、第１のローラ２５６が嵌合される。第１のローラ２５６は、テープの折り返し縁を押圧ブロック２５７の上平面２５７２に押し付けてテープの２つの接着面を接続し、１本の狭い非接着縁が形成される。第２のピン２５８は、押圧ブロック２５７と押圧輪２３０との間に設けられる。第２のピン２５８には、テープを押圧輪へ輸送するために用いる第２のローラ２５９が嵌合される。
【０００３】
しかし、フィルム貼付装置の縁折り曲げ構造は、部品の数が多く、組立てが容易でなく、折り曲げ部２５０によりテープに非接着縁を形成する効果が好ましくないため、非接着縁をテープに形成することは容易でなく、包装するときにフィルム貼付装置から引っ張り出すテープの大部分が包装物に完全に粘着されてしまうため、箱を開けて包装物からテープを剥すのに時間及び労力が多くかかる虞がある。本考案者は、上述した欠点に鑑み、従来のフィルム貼付装置の縁折り曲げ構造には改良が求められていた。
【考案の概要】
【考案が解決しようとする課題】
【０００４】
本考案の主な目的は、テープに非接着縁を形成し、箱を開いて包装物から容易にテープを剥すことができる上、折り返しブロックの外側に折り曲げピンを枢着して組立てることができるフィルム貼付装置の縁折り曲げ構造を提供することにある。
【課題を解決するための手段】
【０００５】
上記課題を解決するために、本考案の第１の形態によれば、フィルム貼付装置に取り付けるとともに、縁折り曲げブロックを備えるフィルム貼付装置の縁折り曲げ構造であって、前記フィルム貼付装置は、一端に設けられた側板を有し、前記側板は、カッター、押圧輪及びテープカートリッジを有し、前記縁折り曲げブロックは、ベースを含み、前記ベースの第１の端部及び第２の端部は側板に位置決めされ、前記ベースの第１の端部に隣接した箇所には折り曲げピンが枢着され、前記折り曲げピンの底面には、前記側板との間に間隙が形成され、前記ベースの頂面には、押圧板及び折り返し部材が設けられ、前記押圧板と前記折り返しブロックとの間にはチャネルが形成され、前記折り返し部材の前記チャネルと対となる一側には、傾斜面が形成され、前記ベースの前記第２の端部に隣接した箇所には平板が配設され、前記平板は、前記チャネルに向かって延びて端部が設けられ、前記テープの引張り力により前記テープの一側が間隙に挿入され、折り返し部材を通過すると前記テープが折り返され、前記テープが前記平板の端部によりさらに平らな状態となり、折り曲げ縁が形成されることを特徴とするフィルム貼付装置の縁折り曲げ構造が提供される。
【０００６】
前記折り返し部材には、前記折り返しブロックが設けられ、前記押圧板と前記折り返しブロックとの間には、チャネルが形成され、前記折り返しブロックの前記チャネルと対となる一側には、第１の傾斜面が形成され、前記折り返し部材の前記折り返しブロックの前記第２の端部と対となる一側には強化折り返しブロックが配設され、前記強化折り返しブロックの前記チャネルと対となる一側には第２の傾斜面が形成され、前記第２の傾斜面は、前記第１の傾斜面に対して平行に形成され、前記第２の傾斜面は、前記第１の傾斜面より僅かに突出され、前記強化折り返しブロックには、突出部が設けられ、前記強化折り返しブロックの前記第２の傾斜面の押圧板に隣接した一端には上頂面が形成され、前記上頂面は、前記ベースに対して略垂直であることが好ましい。
【０００７】
前記平板は、前記押圧板に対して略垂直であるとともに、上頂面の延伸面から突出され、前記平板の端部と前記上頂面の前記延伸面との間には、段差が形成されていることが好ましい。
【０００８】
前記側板には、位置決め孔が形成され、前記ベースの前記第１の端部には、位置決め孔が形成され、前記ベースの前記位置決め孔の一側には、バンプが設けられ、前記側板には、前記ベースの前記位置決め孔を介して前記折り曲げピンが枢着され、前記ベースの前記第２の端部の底面には、前記側板の前記位置決め孔と対となるように位置決め凸部が設けられ、前記ベースは、前記位置決め凸部を介して前記側板の前記位置決め孔に位置決めされ、前記折り曲げピンの外周側には、複数の歯状凸部が設けられ、前記歯状凸部は、前記バンプの頂面に配設されることが好ましい。
【０００９】
前記ベースの前記位置決め孔に隣接した一側には、第１の円弧面が形成され、前記押圧板は、前記ベースの前記第１の端部に隣接した箇所に第２の円弧面を有し、前記平板の端部は、第３の円弧面を有し、前記平板の前記第２の円弧面の頂端には、傾斜角が形成されていることが好ましい。
【考案の効果】
【００１０】
本考案のフィルム貼付装置の縁折り曲げ構造は、テープに非接着縁が形成され、箱を開いて包装物からテープを容易に剥すことができる上、折り返しブロックの外側に折り曲げピンを枢着して組立てることができる。
【図面の簡単な説明】
【００１１】
【図１】図１は、従来のフィルム貼付装置を示す斜視図である。
【図２】図２は、従来のフィルム貼付装置の使用状態の説明図である。
【図３】図３は、本考案の一実施形態に係るフィルム貼付装置の縁折り曲げ構造を示す斜視図である。
【図４】図４は、本考案の一実施形態に係るフィルム貼付装置の縁折り曲げ構造を示す分解斜視図である。
【図５】図５は、本考案の一実施形態に係るフィルム貼付装置の縁折り曲げ構造の縁折り曲げブロック及び折り曲げピンを示す斜視図である。
【図６】図６は、本考案の一実施形態に係るフィルム貼付装置の縁折り曲げ構造の折り曲げブロックを示す側面図である。
【図７】図７は、本考案の一実施形態に係るフィルム貼付装置の縁折り曲げ構造の折り曲げブロックを示す平面図である。
【図８】図８は、本考案の一実施形態に係るフィルム貼付装置の縁折り曲げ構造の使用状態の説明図である。
【図９】図９は、本考案の一実施形態に係るフィルム貼付装置の縁折り曲げ構造を示す部分拡大図である。
【図１０】図１０は、本考案の一実施形態に係るフィルム貼付装置の縁折り曲げ構造のテープが未だ繰り出されていない状態を示す平面図である。
【図１１】図１１は、本考案の一実施形態に係るフィルム貼付装置の縁折り曲げ構造のテープが繰り出された状態を示す平面図である。
【考案を実施するための形態】
【００１２】
図３及び図４を参照する。図３は、本考案の一実施形態に係るフィルム貼付装置の縁折り曲げ構造を示す斜視図である。図４は、本考案の一実施形態に係るフィルム貼付装置の縁折り曲げ構造を示す分解斜視図である。図３及び図４に示すように、本考案の一実施形態に係るフィルム貼付装置の縁折り曲げ構造は、少なくとも本体１００及び縁折り曲げブロック１０から構成されてなる。
【００１３】
本体１００は、側板１０１を含む。側板１０１の前側には、ベース１０４が立設される。ベース１０４の前縁と側板１０１との間には、カッター１０６及び押圧輪１０７が配設される。ベース１０４の後縁には、トップカバー１０５が枢着される。側板１０１の後部には、テープを設置するテープカートリッジ１０２が設けられる。トップカバー１０５の自由端は、テープカートリッジ１０２に至るまで延び、トップカバー１０５の周縁にはストッパー１０５１が突設される。トップカバー１０５の自由端は、テープカートリッジ１０２に対向するように形成された凹溝１０５２を有する。側板１０１の押圧輪１０７とテープカートリッジ１０２との間には、ローラ１０８が配設される。側板１０１のローラ１０８には、位置決め孔１０３が隣接するように形成される。
【００１４】
図５〜図７を参照する。図５〜図７に示すように、縁折り曲げブロック１０は、横向きに形成されたベース１１を含む。ベース１１の両端には、第１の端部１１６及び第２の端部１１７がそれぞれ設けられる。ベース１１の第１の端部１１６には、位置決め孔１７が形成される。ベース１１の位置決め孔１７の一側には、バンプ１８が設けられる。側板１０１には、位置決め孔１７を介して折り曲げピン２０が枢着される。折り曲げピン２０の外周側には、複数の歯状凸部２１が設けられる。歯状凸部２１は、バンプ１８の頂面１８１に配設され、折り曲げピン２０は、バンプ１８の頂面１８１と側板１０１との高度差により、折り曲げピン２０の底面と側板１０１との間に間隙が形成される。ベース１１の位置決め孔１７に隣接した一側には、第１の円弧面１１８が設けられる。ベース１１の第２の端部１１７の底面には、側板１０１の位置決め孔１０３に対応するように位置決め凸部１２が設けられ、ベース１１は位置決め凸部１２を介して側板１０１の位置決め孔１０３に位置決めされる。ベース１１の頂面には、縦向きの押圧板１３が配設される。押圧板１３のベース１１に対応するように設けられた第１の端部１１６は、第２の円弧面１３１を有する。ベース１１の頂面には、折り返し部材１４が設けられ、押圧板１３と折り返し部材１４との間にはチャネルＰが形成される。折り返し部材１４のチャネルＰと対となる一側には、傾斜面１４１が形成される。本実施形態に係る折り返し部材１４は、縦向きの折り返しブロック１４ａ及び縦向きの強化折り返しブロック１４ｂを含む。押圧板１３と折り返しブロック１４ａとの間にはチャネルＰが形成される。折り返しブロック１４ａのチャネルＰと対となる一側には、第１の傾斜面１４１ａが形成される。ベース１１の折り返しブロック１４ａと対となる第２の端部１１７の一側には、縦向きの強化折り返しブロック１４ｂが設けられる。強化折り返しブロック１４ｂのチャネルＰと対となる一側には、第２の傾斜面１４１ｂが形成される。第２の傾斜面１４１ｂは、第１の傾斜面１４１ａに対して平行に形成されるとともに、第１の傾斜面１４１ａから僅かに突出し、強化折り返しブロック１４ｂには、突出部１４２ｂが設けられる。強化折り返しブロック１４ｂの第２の傾斜面１４１ｂの押圧板１３に隣接した一端には、上頂面１４３ｂが形成される。上頂面１４３ｂは、ベース１１に対して略垂直である。ベース１１の第２の端部１１７に隣接した箇所には、縦向きの平板１６が設けられる。平板１６は、押圧板１３に対して略垂直に配置される。平板１６には、上頂面１４３ｂの延伸面が突設され、平板１６の端部と上頂面１４３ｂの延伸面とには段差ｄが形成される。平板１６の端部は、第３の円弧面１６１を有する。平板１６の第３の円弧面１６１の頂端には、傾斜角１６３が形成される。本実施形態に係る縁折り曲げブロック１０は一体成形される。
【００１５】
図８〜図１１を参照する。図８は、本考案の一実施形態に係るフィルム貼付装置の縁折り曲げ構造の使用状態の説明図である。図９は、本考案の一実施形態に係るフィルム貼付装置の縁折り曲げ構造を示す部分拡大図である。図１０は、本考案の一実施形態に係るフィルム貼付装置の縁折り曲げ構造のテープが未だ繰り出されていない状態を示す平面図である。図１１は、本考案の一実施形態に係るフィルム貼付装置の縁折り曲げ構造のテープが繰り出された状態を示す平面図である。図８〜図１１に示すように、本実施形態を実際に使用する際、テープカートリッジ１０２から繰り出されたテープは、まず、折り曲げピン２０に接触され、テープが折り曲げピン２０に接触されて力を受けるとテープの側辺が間隙に垂れ下がり、テープが第１の円弧面１１８を通ってチャネルＰに進入すると、押圧板１３の第２の円弧面１３１によりテープが強制的に押し下げられ、テープが縁折り曲げブロック１０を通過する際に不完全な折り曲げ縁となることを防いでから、テープが折り返しブロック１４ａの第１の傾斜面１４１ａを通過する際、テープの内側縁を折り返し、強化折り返しブロック１４ｂの上頂面１４３ｂにより折り返す効果が向上する。このときテープは、略完全に折り返された状態となり、テープの引張力により、底部が力を受けて完全に折り返された状態となり、折り返し縁が形成される。最終的に、テープが平板１６を通過し、平板１６と強化折り返しブロック１４ｂとの段差ｄを利用し、折り返したテープを平らな状態にし、粘着性を有さない１本の狭い折り曲げ縁がテープに形成される。このように、テープが包装物上に接着される際、粘着性を有さない一本の折り曲げ縁が形成される。そのためテープを外す際、包装物に粘着されない折り曲げ縁を引き剥すだけで、テープを迅速に取り除くことができる上、操作を容易かつ迅速に行うことができる。
【００１６】
ここで、トップカバー１０５の自由端には、複数の凹溝１０５２が形成されるため、テープを使用する際、複数の凹溝１０５２を介してテープに直接力を加え、テープの張力を調整することができる。
【００１７】
また、トップカバー１０５のストッパー１０５１は、トップカバー１０５が力を受けていないときに緩んで開いてしまい、底部が落下することを防ぐ。
【００１８】
ここで、垂れ下がるとは折り曲げピン２０の底面が、バンプ１８を介して側板１０１との間に形成された間隙により、テープが折り曲げピン２０を通過する際に力を受けて自然に垂れ下がり、折り曲げられて間隙に落下することを指すとともに、押圧板１３の第２の円弧面１３１を介してテープを強制的に押し下げ、テープを縁折り曲げブロック１０に通過させる際、不完全な折り曲げ縁が形成されることを防いだ後、テープが折り返しブロック１４ａの第１の傾斜面１４１ａを介してチャネルＰへ進入する。特に、折り返しブロック１４ａの第１の傾斜面１４１ａと押圧板１３の第２の円弧面１３１とにより、チャネルの入口が形成される。
【００１９】
ここで、折り曲げ縁とは、テープが折り返しブロック１４ａの第１の傾斜面１４１ａを通過する際、テープの内側縁が折り返されてから強化折り返しブロック１４ｂの上頂面１４３ｂを通過する。第１の傾斜面１４１ａは、第２の傾斜面１４１ｂに対して平行に形成され、折り返す効果を向上させる。このときのテープは、完全に折り返された状態に近づき、テープの引張力により、テープが力を受けて完全に折り返される。
【００２０】
ここで、平らな状態にするとは、テープが平板１６と強化折り返しブロック１４ｂとにより形成された段差ｄを利用し、テープの引張力を加えて平板１６及び強化折り返しブロック１４ｂをチャネルへ向けた方向で反作用力が発生することを指す。強化折り返しブロック１４ｂは、第２の傾斜面１４１ｂ、上頂面１４３ｂ又はそれらの組み合わせにより反作用力を発生させ、折り返したテープの位置をずらすことにより平らな状態にし、最終的にテープは、第３の円弧面１６１を利用して縁折り曲げブロック１０を引っ張り出す。
【００２１】
特に平板１６の端部には、段差ｄのみが形成され、平板１６の端部がテープに当接され、テープを繰り出す過程において反作用力が発生し、テープが平らな状態となる。
【符号の説明】
【００２２】
１０  縁折り曲げブロック
１１  ベース
１２  位置決め凸部
１３  押圧板
１４  折り返し部材
１４ａ  折り返しブロック
１４ｂ  強化折り返しブロック
１６  平板
１７  位置決め孔
１８  バンプ
２０  折り曲げピン
２１  歯状凸部
１００  本体
１０１  側板
１０２  テープカートリッジ
１０３  位置決め孔
１０４  ベース
１０５  トップカバー
１０６  カッター
１０７  押圧輪
１０８  ローラ
１１６  第１の端部
１１７  第２の端部
１１８  第１の円弧面
１３１  第２の円弧面
１４１  傾斜面
１４１ａ  第１の傾斜面
１４１ｂ  第２の傾斜面
１４２ｂ  突出部
１４３ｂ  上頂面
１６１  第３の円弧面
１６２  位置ずれ部
１６３  傾斜角
１８１  頂面
２００  本体
２１０  側板
２２０  テープカートリッジ
２３０  押圧輪
２４０  カッター
２５０  折り曲げ部
２５１  折り曲げピン
２５２  折り曲げローラ
２５３  ストッパー
２５４  傾斜ブロック
２５５  第１のピン
２５６  第１のローラ
２５７  押圧ブロック
２５８  第２のピン
２５９  第２のローラ
１０５１  ストッパー
１０５２  凹溝
２５４１  傾斜面
２５７１  傾斜面
２５７２  上平面
ｄ  段差
Ｐ  チャネル
【図１】
0003203831.tif 000003
【図２】
0003203831.tif 000004
【図３】
0003203831.tif 000005
【図４】
0003203831.tif 000006
【図５】
0003203831.tif 000007
【図６】
0003203831.tif 000008
【図７】
0003203831.tif 000009
【図８】
0003203831.tif 000010
【図９】
0003203831.tif 000011
【図１０】
0003203831.tif 000012
【図１１】
0003203831.tif 000013
【手続補正書】
【提出日】平成28年2月17日(2016.2.17)
【手続補正１】
【補正対象書類名】実用新案登録請求の範囲
【補正対象項目名】請求項１
【補正方法】変更
【補正の内容】
【請求項１】
フィルム貼付装置に取り付けるとともに、縁折り曲げブロックを備えるフィルム貼付装置の縁折り曲げ構造であって、
前記フィルム貼付装置は、一端に設けられた側板を有し、前記側板は、カッター、押圧輪及びテープカートリッジを有し、
前記縁折り曲げブロックは、ベースを含み、前記ベースの第１の端部及び第２の端部は側板に位置決めされ、前記ベースの第１の端部に隣接した箇所には折り曲げピンが枢着され、前記折り曲げピンの底面には、前記側板との間に間隙が形成され、前記ベースの頂面には、押圧板及び折り返し部材が設けられ、前記押圧板と前記折り返し部材との間にはチャネルが形成され、前記折り返し部材の前記チャネルと対となる一側には、傾斜面が形成され、前記ベースの前記第２の端部に隣接した箇所には平板が配設され、前記平板は、前記チャネルに向かって延びて端部が設けられ、
前記テープの引張り力により前記テープの一側が間隙に挿入され、折り返し部材を通過すると前記テープが折り返され、前記テープが前記平板の端部によりさらに平らな状態となり、折り曲げ縁が形成されることを特徴とするフィルム貼付装置の縁折り曲げ構造。